【事件の表示】
　特許第３２３６２７３号「マルチキャリア伝送システムおよびマルチキャリア変調方法」の請求項１ないし１２に係る特許に対する特許異議の申立てについて、次のとおり決定する。
【結　論】
　訂正を認める。
　特許第３２３６２７３号の請求項１ないし１２に係る特許を維持する。
理　由
　第１．手続の経緯
　本件特許第３２３６２７３号の請求項１〜１２に係る発明についての出願は、平成１１年５月１７日に特許出願され、平成１３年９月２８日にその発明について特許の設定登録がなされ、その後、特許異議申立人井上みち子より特許異議申立がなされ、取消理由通知がなされ、その指定期間内である平成１５年１月１４日に訂正請求がなされたものである。
　
　第２．訂正の適否についての判断
　（１）訂正の目的の適否、新規事項の有無及び拡張・変更の存否
　特許権者が求めている訂正の内容は以下のア．〜エ．のとおりである。
　ア．訂正事項ａ
　特許請求の範囲の請求項１、請求項６、請求項１１、及び請求項１２の「送信データ系列の拡散信号」を「一つの送信データ系列の拡散信号」と訂正する。
　イ．訂正事項ｂ
　これに伴い、特許請求の範囲の記載と発明の詳細な説明の記載との整合をとるため、特許明細書段落[０００９]、段落[００１９]、段落[００２９]、及び段落[００３０]の「送信データ系列の拡散信号」を明りようでない記載の釈明を目的として「一つの送信データ系列の拡散信号」と訂正する。
　ウ．訂正事項ｃ
　特許請求の範囲の請求項１、請求項６、請求項１１、及び請求項１２の「周波数軸上および時間軸上に２次元的に配置」を「周波数軸上および時間軸上で折り返して２次元的に配置」と訂正する。
　エ．訂正事項ｄ
　これに伴い、特許請求の範囲の記載と発明の詳細な説明の記載との整合をとるため、特許明細書段落[０００９]、段落[００１９]、段落[００２９]、及び段落[００３０]の「周波数軸上および時間軸上に２次元的に配置」を明りようでない記載の釈明を目的として「周波数軸上および時間軸上で折り返して２次元的に配置」と訂正する。
　　
　次に前記訂正事項について検討すると、
　オ． 前記訂正事項ａは、特許明細書の特許請求の範囲の請求項１、請求項６、請求項１１、及び請求項１２に記載された「送信データ系列の拡散信号」をより下位概念である「一つの送信データ系列の拡散信号」に限定しようとするものであり、また該訂正事項は、特許明細書段落[００３９]に記載されている。
　そうすると、この訂正は、特許請求の範囲の滅縮を目的としてなされたものであり、また、願書に添付した明細書または図面に記載した事項の範囲内の訂正であり、実質上特許請求の範囲を拡張しまたは変更するものでもない。
　カ． 前記訂正事項ｂは、前記訂正事項ａの特許請求の範囲の減縮に対応して発明の詳細な説明を訂正したものであり、この訂正は、明りょうでない記載の釈明を目的としてなされたものであり、また、該訂正は、願書に添付した明細書または図面に記載した事項の範囲内の訂正であり、実質上特許請求の範囲を拡張しまたは変更するものでもない。
　キ． 前記訂正事項ｃは、特許明細書の特許請求の範囲の請求項１、請求項６、請求項１１、及び請求項１２に記載された「周波数軸上および時間軸上に２次元的に配置」をより下位概念である「周波数軸上および時間軸上で折り返して２次元的に配置」に限定しようとするものであり、また該訂正事項は、特許明細書段落[００３９]、[００４０]及び図２に記載されている。
　そうすると、この訂正は、特許請求の範囲の滅縮を目的としてなされたものであり、また、願書に添付した明細書または図面に記載した事項の範囲内の訂正であり、実質上特許請求の範囲を拡張しまたは変更するものでもない。
　ク． 前記訂正事項ｄ．は、前記訂正事項ｃ．の特許請求の範囲の減縮に対応して発明の詳細な説明を訂正したものであり、この訂正は、明りょうでない記載の釈明を目的としてなされたものであり、また、該訂正は、願書に添付した明細書または図面に記載した事項の範囲内の訂正であり、実質上特許請求の範囲を拡張しまたは変更するものでもない。
　
　（２）以上のとおりであるから、前記訂正は、特許法第１２０条の４第２項、及び同条第３項において準用する特許法第１２６条第２項から第４項までの規定に適合するので、当該訂正を認める。　
　
　第３．特許異議の申立てについて
　（１）申立て理由の概要
　特許異議申立人　井上みち子は、
甲第１号証として、EQUALIZATION AND CODING FOR EXTENDED MC-CDMA OVER TIME AND FREQUENCY SELECTIVE CHANNELS
K.Fazel and G.P.Fettweis(eds.),Muluti-Carrier Spread-Spectrum,pp.127-134. 
1997 Kluwer Academic Publishers. Printed in the Netherlands 、
　
甲第２号証として、A DFT Based Algorithm for Combined Time Spread-Spread Spectrum CDMA
第２１回情報理論とその応用シンポジウム（SITA98）,pp.519-522,（December2-5,1998)、
　
 甲第３号証として、Iterative Detection Algorithms for extended MC-CDMA
IEEE 5th International Symposium on Spread Spectrum Techniques and Applications ,vol.1,pp.184-188,2-4Sept.1998、
　
甲第４号証として、特開平７−２５４９１５号公報、
　を提示し、
　本件請求項１、６、１１、１２に係る発明は、甲第１号証〜甲第３号証に記載された発明、また、本件請求項２〜５、７〜１０に係る発明は、甲第１号証及び甲第４号証に記載された発明、に基づいて当業者が容易に発明することができたものであるから、特許法第２９条第２項の規定により特許を受けることができないものであり、本件請求項１〜１２に係る発明の特許は、特許法第１１３条第１項第２号の規定により取り消すべきものである、と主張している。
　
　（２）本件発明
　前記「第２．訂正の適否についての判断」で記載したように訂正が認められたので、本件請求項１〜１２に係る発明（以下、「本件第１発明」〜「本件第１２発明」という。）は、訂正明細書特許請求の範囲請求項１〜１２に記載された次のとおりのものである。
　　【請求項１】　ＯＦＤＭ／ＣＤＭＡ変調方式を採用するマルチキャリア伝送システムにおいて、
　一つの送信データ系列の拡散信号を、周波数軸上および時間軸上で折り返して２次元的に配置し、該送信データ系列の拡散信号群を形成する拡散信号並べ替え手段を備え、
　送信側が、前記拡散信号並べ替え手段にて生成された送信信号を時間軸単位で送信し、
　受信側が、受け取った受信信号を復調することにより前記送信データ系列を得ることを特徴とするマルチキャリア伝送システム。
　
　　【請求項２】　前記拡散信号並べ替え手段は、前記２次元的に配置された一つの送信データ系列における拡散信号群を、時間軸上でシフトして配置する
ことを特徴とする請求項１に記載のマルチキャリア伝送システム。
　　【請求項３】　前記拡散信号並べ替え手段は、前記２次元的に配置された一つの送信データ系列における拡散信号群を、周波数軸上でシフトして配置する
ことを特徴とする請求項１に記載のマルチキャリア伝送システム。
　　【請求項４】　前記拡散信号並べ替え手段は、前記２次元的に配置された一つの送信データ系列における拡散信号群を、部分系列に分解し、各部分系列をＯＦＤＭ信号内でインターリーブを行う
ことを特徴とする請求項１に記載のマルチキャリア伝送システム。
　　【請求項５】　前記拡散信号並べ替え手段は、前記２次元的に配置した拡散信号の、周波数軸上および時間軸上における配置比率を、伝送路状態に応じて変更可能とする
ことを特徴とする請求項１〜４のいずれか一つに記載のマルチキャリア伝送システム。
　　【請求項６】　ＯＦＤＭ／ＣＤＭＡ変調方式を採用するマルチキャリア伝送システムにて適用されるマルチキャリア変調方法において、
　一つの送信データ系列の拡散信号を、周波数軸上および時間軸上で折り返して２次元的に配置し 、該送信データ系列の拡散信号群を形成する拡散信号並べ替えステップを含む
ことを特徴とするマルチキャリア変調方法。
　　【請求項７】　前記拡散信号並べ替えステップでは、前記２次元的に配置された一つの送信データ系列における拡散信号群を、時間軸上でシフトして配置する
ことを特徴とする請求項６に記載のマルチキャリア変調方法。
　　【請求項８】　前記拡散信号並べ替えステップでは、前記２次元的に配置された一つの送信データ系列における拡散信号群を、周波数軸上でシフトして配置する
ことを特徴とする請求項６に記載のマルチキャリア変調方法。
　　【請求項９】　前記拡散信号並べ替えステップでは、前記２次元的に配置された一つの送信データ系列における拡散信号群を、部分系列に分解し、各部分系列をＯＦＤＭ信号内でインターリーブを行う
ことを特徴とする請求項６に記載のマルチキャリア変調方法。
　　【請求項１０】　前記拡散信号並べ替えステップでは、前記２次元的に配置した拡散信号の、周波数軸上および時間軸上における配置比率を、伝送路状態に応じて変更可能とする
ことを特徴とする請求項６〜９のいずれか一つに記載のマルチキャリア変調方法。
　　【請求項１１】　ＯＦＤＭ／ＣＤＭＡ変調方式を採用する送信機において、
　一つの送信データ系列の拡散信号を、周波数軸上および時間軸上で折り返して２次元的に配置し、該送信データ系列の拡散信号群を形成する拡散信号並べ替え手段を備え、
前記拡散信号並べ替え手段にて生成された送信信号を時間軸単位で送信することを特徴とする送信機。
　　　　　　　　　　　　　　　　　　　　　　　　　　　　　
　　【請求項１２】　ＯＦＤＭ／ＣＤＭＡ変調方式を採用する受信機において、
　一つの送信データ系列の拡散信号が周波数軸上および時間軸上で折り返して２次元的に配置された拡散信号群を、時間軸単位で受信し、その受信信号を復調する
ことにより前記送信データ系列を得ることを特徴とする受信機。
　
　（３）甲各号証記載の発明
　各甲号証証には次の事項が記載されている。
　
　ア．甲第１号証：EQUALIZATION AND CODING FOR EXTENDED MC-CDMA OVER TIME AND FREQUENCY SELECTIVE CHANNELS
K.Fazel and G.P.Fettweis(eds.),Muluti-Carrier Spread-Spectrum,pp.127-134. 
1997 Kluwer Academic Publishers. Printed in the Netherlands 、
　
　「ＯＦＤＭのＭＣ−ＣＤＭＡにおいて、周波数軸上および時間軸上に信号を拡散する」こと
　
　イ．甲第２号証：A DFT Based Algorithm for Combined Time Spread-Spread Spectrum CDMA
第２１回情報理論とその応用シンポジウム（SITA98）,pp.519-522,（December2-5,1998)、
　
　「ＣＤＭＡにおいて、周波数軸上および時間軸上に信号を拡散する」こと
　
　ウ．甲第３号証：Iterative Detection Algorithms for extended MC-CDMA
IEEE 5th International Symposium on Spread Spectrum Techniques and Applications ,vol.1,pp.184-188,2-4Sept.1998、
　
　「ＯＦＤＭのＭＣ−ＣＤＭＡにおいて、周波数軸上および時間軸上に信号を拡散する」こと
　
　エ．甲第４号証：特開平７−２５４９１５号公報、
　
　「受信条件を考慮して、時間的なインタリーブおよび周波数的なインタリーブを行う」こと、「階層データ間で時間および周波数方向にインタリーブを行う」こと
　　
　（４）対比・判断
　　
　（本件第１発明について）
　本件第１発明と甲第1〜３号証記載の発明を対比すると、各甲号証には、本件第１発明の、「一つの送信データ系列の拡散信号を、周波数軸上および時間軸上で折り返して２次元的に配置し、該送信データ系列の拡散信号群を形成する拡散信号並べ替え手段」の構成が記載されていない。　　
　そして、本件第１発明は、係る構成により、Ｓ／Ｎ比が改善され、拡散チップ数を従来より増加させることができるようになり、拡散利得を大きく取ることが可能となり、さらに、同時に、ＣＤＭＡ多重化における多重数も、従来より増加させることができる、という、特許明細書記載の作用効果を奏するものである。
　したがって、本件第１発明が、甲第１号証〜甲第３号証記載の発明に基づいて当業者が容易に発明することができたとすることはできない。
　　
　（本件第２〜５発明について）
　本件第２〜５発明と甲第1、４号証記載の発明を比較すると、各甲号証には、本件第２〜５発明が引用し、かつ、本件第２〜５発明を限定している本件第１発明の「一つの送信データ系列の拡散信号を、周波数軸上および時間軸上で折り返して２次元的に配置し、該送信データ系列の拡散信号群を形成する拡散信号並べ替え手段」の構成が記載されていない。　　
　そして、本件第２〜５発明は、係る構成により、特許明細書記載の作用効果を奏するものである。
　したがって、本件第２〜５発明が、甲第１号証、甲第４号証記載の発明に基づいて当業者が容易に発明することができたとすることはできない。
  
 （本件第６発明について）
　本件第６発明と甲第1〜３号証記載の発明を対比すると、各甲号証には、本件第１発明の、「一つの送信データ系列の拡散信号を、周波数軸上および時間軸上で折り返して２次元的に配置し、該送信データ系列の拡散信号群を形成する拡散信号並べ替えステップ」の構成が記載されていない。　
　そして、本件第６発明は、係る構成により、特許明細書記載の作用効果を奏するものである。
　したがって、本件第６発明が、甲第１号証〜甲第３号証記載の発明に基づいて当業者が容易に発明することができたとすることはできない。
 　　
　（本件第７〜１０発明について）
　本件第７〜１０発明と甲第1、４号証記載の発明を比較すると、各甲号証には、本件第７〜１０発明が引用し、かつ、本件第７〜１０発明を限定している本件第６発明の「一つの送信データ系列の拡散信号を、周波数軸上および時間軸上で折り返して２次元的に配置し、該送信データ系列の拡散信号群を形成する拡散信号並べ替えステップ」の構成が記載されていない。　　
　そして、本件第７〜１０発明は、係る構成により、特許明細書記載の作用効果を奏するものである。
　したがって、本件第７〜１０発明が、甲第１号証、甲第４号証記載の発明に基づいて当業者が容易に発明することができたとすることはできない。
　　
　（本件第１１発明について）
　本件第１１発明と甲第1〜３号証記載の発明を対比すると、各甲号証には、本件第１１発明の、「一つの送信データ系列の拡散信号を、周波数軸上および時間軸上で折り返して２次元的に配置し、該送信データ系列の拡散信号群を形成する拡散信号並べ替え手段」の構成が記載されていない。　　
　そして、本件第１１発明は、係る構成により、特許明細書記載の作用効果を奏するものである。
　したがって、本件第１１発明が、甲第１号証〜甲第３号証記載の発明に基づいて当業者が容易に発明することができたとすることはできない。
　
　（本件第１２発明について）
　本件第１２発明と甲第1〜３号証記載の発明を対比すると、各甲号証には、本件第１２発明の、「一つの送信データ系列の拡散信号を、周波数軸上および時間軸上で折り返して２次元的に配置された拡散信号群を、時間軸単位で受信」する構成が記載されていない。　　
　そして、本件第１２発明は、係る構成により、特許明細書記載の作用効果を奏するものである。
　したがって、本件第１２発明が、甲第１号証〜甲第３号証記載の発明に基づいて当業者が容易に発明することができたとすることはできない。
　
　（５）以上のとおりであるから、本件特許異議申立の理由および証拠によっては、本件に係る請求項１〜１２に係る特許を取り消すことはできない。
　また、他に本件に係る請求項１〜１２に係る特許を取り消すべき理由を発見しない。
　よって、結論のとおり決定する。
【異議決定日】
平成１５年１月３０日（２００３．１．３０）
【訂正の要旨】
訂正事項
Ａ．特許請求の範囲の請求項１、請求項６、請求項１１、及び請求項１２の「送信データ系列の拡散信号」を「
一つの
　これに伴い、特許請求の範囲の記載と発明の詳細な説明の記載との整合をとるため、明細書〔０００９〕欄、〔００１９〕欄、〔００２９〕欄、及び〔００３０〕欄の「送信データ系列の拡散信号」を明りょうでない記載の釈明を目的として「
一つの
Ｂ．特許請求の範囲の請求項１、請求項６、請求項１１、及び請求項１２の「周波数軸上および時間軸上に２次元的に配置」を「周波数軸上および時間軸上
で折り返して
　これに伴い、特許請求の範囲の記載と発明の詳細な説明の記載との整合をとるため、明細書〔０００９〕欄、〔００１９〕欄、〔００２９〕欄、及び〔００３０〕欄の「周波数軸上および時間軸上に２次元的に配置」を明りょうでない記載の釈明を目的として「周波数軸上および時間軸上
で折り返して
（５４）【発明の名称】
マルチキャリア伝送システムおよびマルチキャリア変調方法
（５７）【特許請求の範囲】
　【請求項１】　ＯＦＤＭ／ＣＤＭＡ変調方式を採用するマルチキャリア伝送システムにおいて、
　
一つの
で折り返して
し、
　送信側が、前記拡散信号並べ替え手段にて生成された送信信号を時間軸単位で送信し、
　受信側が、受け取った受信信号を復調することにより前記送信データ系列を得ることを特徴とするマルチキャリア伝送システム。
　【請求項２】　前記拡散信号並べ替え手段は、前記２次元的に配置された一つの送信データ系列における拡散信号群を、時間軸上でシフトして配置する
ことを特徴とする請求項１に記載のマルチキャリア伝送システム。
　【請求項３】　前記拡散信号並べ替え手段は、前記２次元的に配置された一つの送信データ系列における拡散信号群を、周波数軸上でシフトして配置する
ことを特徴とする請求項１に記載のマルチキャリア伝送システム。
　【請求項４】　前記拡散信号並べ替え手段は、前記２次元的に配置された一つの送信データ系列における拡散信号群を、部分系列に分解し、各部分系列をＯＦＤＭ信号内でインターリーブを行う
ことを特徴とする請求項１に記載のマルチキャリア伝送システム。
　【請求項５】　前記拡散信号並べ替え手段は、前記２次元的に配置した拡散信号の、周波数軸上および時間軸上における配置比率を、伝送路状態に応じて変更可能とする
ことを特徴とする請求項１〜４のいずれか一つに記載のマルチキャリア伝送システム。
　【請求項６】　ＯＦＤＭ／ＣＤＭＡ変調方式を採用するマルチキャリア伝送システムにて適用されるマルチキャリア変調方法において、
　
一つの
で折り返して
し、
ことを特徴とするマルチキャリア変調方法。
　【請求項７】　前記拡散信号並べ替えステップでは、前記２次元的に配置された一つの送信データ系列における拡散信号群を、時間軸上でシフトして配置する
ことを特徴とする請求項６に記載のマルチキャリア変調方法。
　【請求項８】　前記拡散信号並べ替えステップでは、前記２次元的に配置された一つの送信データ系列における拡散信号群を、周波数軸上でシフトして配置する
ことを特徴とする請求項６に記載のマルチキャリア変調方法。
　【請求項９】　前記拡散信号並べ替えステップでは、前記２次元的に配置された一つの送信データ系列における拡散信号群を、部分系列に分解し、各部分系列をＯＦＤＭ信号内でインターリーブを行う
ことを特徴とする請求項６に記載のマルチキャリア変調方法。
　【請求項１０】　前記拡散信号並べ替えステップでは、前記２次元的に配置した拡散信号の、周波数軸上および時間軸上における配置比率を、伝送路状態に応じて変更可能とする
ことを特徴とする請求項６〜９のいずれか一つに記載のマルチキャリア変調方法。
　【請求項１１】　ＯＦＤＭ／ＣＤＭＡ変調方式を採用する送信機において、
　
一つの
で折り返して
し、
前記拡散信号並べ替え手段にて生成された送信信号を時間軸単位で送信する
ことを特徴とする送信機。
　【請求項１２】　ＯＦＤＭ／ＣＤＭＡ変調方式を採用する受信機において、
　
一つの
で折り返して
ことにより前記送信データ系列を得ることを特徴とする受信機。
【発明の詳細な説明】
　【０００１】
　【発明の属する技術分野】
　本発明は、移動体通信システムおよびディジタル放送システムに適用されているマルチキャリア伝送システムに関するものであり、特に、マルチキャリア伝送の一種であるＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）／ＣＤＭＡ（Ｃｏｄｅ　Ｄｉｖｉｓｉｏｎ　Ｍｕｌｔｉｐｌｅ　Ａｃｃｅｓｓ：符号分割多元接続）変調方式を採用するマルチキャリア伝送システム、およびその変調方法に関するものである。
　【０００２】
　【従来の技術】
　以下、従来のマルチキャリア伝送システムについて説明する。近年、移動体通信およびディジタル放送等の分野で、画像や音声を高速に伝送するためのデジタル変調方式や伝送方式が検討されている。このような中で、最近、周波数選択性フェージングに強いこと、誤り訂正符号化の併用により周波数ダイバーシチ効果が得られること、各サブキャリアの周波数間隔を密に設定可能であること、および、シンボル区間にガードインターバルを設定することにより符号間干渉の影響を軽減できること、等の利点から、マルチキャリア伝送の一種であるＯＦＤＭ／ＣＤＭＡ変調方式を採用するマルチキャリア伝送システムが注目されている。
　【０００３】
　ＯＦＤＭ／ＣＤＭＡ変調方式は、スペクトル拡散後の信号に対してＯＦＤＭ変調を行う技術であり、各キャリアがシンボル区間内で相互に直交するように、周波数間隔が設定されている。また、情報の伝送は、各キャリアの振幅および位相を変化させることで行われている。
　【０００４】
　図６は、ＯＦＤＭ／ＣＤＭＡ変調方式における送信信号の一例を示す図である。なお、ここでは、周波数軸上において８個のサブキャリアを想定しており、異なる２ユーザに対する送信信号が多重化されて送信されている状態を示している。図６において、送信機における送信データ系列Ｄ１ｍおよびＤ２ｍは、拡散符号Ｃ１ｎ（ｎは整数）および拡散符号Ｃ２ｎ（ｎは整数）にてそれぞれ拡散変調されている。すなわち、各サブキャリア毎に、拡散符号Ｃ１１，Ｃ１２，…，Ｃ１８、および拡散符号Ｃ２１，Ｃ２２，…Ｃ２８にて拡散変調され、さらに多重化された信号が送信される。
　【０００５】
　このようにサブキャリア単位で拡散変調、および多重化された信号が、遅延波が存在する周波数選択性フェージング伝送路を通った場合、各拡散チップに対応するサブキャリア信号は、たとえば、図７に示すように、各サブキャリアの振幅および位相がそれぞれ異なった状態で受信される。具体的にいうと、周波数選択性フェージングの影響をうけた拡散チップのＳ／Ｎ比が低下することになり、それに伴って振幅および位相が変化する。この場合、各サブキャリアにおいては、周波数選択性フェージングの影響により、一種のダイバーシチ効果が得られることになる。
　【０００６】
　【発明が解決しようとする課題】
　しかしながら、上記、従来のマルチキャリア伝送システムにおいては、本来、直交符号である拡散符号Ｃ２ｎにおいても、拡散符号Ｃ１ｎと同様に周波数選択性フェージングの影響を受けて、同一データ内での拡散符号の振幅および位相が異なった状態で受信される。その結果、Ｃ１ｎとＣ２ｎとの直交性が崩れ、それが干渉成分となり、特性の劣化が生じてしまう、という問題があった。
　【０００７】
　また、従来のマルチキャリア伝送システムにおいては、周波数選択性フェージングの影響を受けないように、すなわち、各チップの振幅特性および位相特性を一定にするために、たとえば、拡散するチップ数（すなわち、サブキャリア数）を少なくする方法があるが、その方法では、拡散利得が抑えられてしまうことになり、さらに、ＣＤＭＡ多重する場合にもその多重数を抑えなくてはならない、という問題があった。
　【０００８】
　本発明は、上記に鑑みてなされたものであって、周波数選択性フェージングが存在する伝送路において、ＯＦＤＭ／ＣＤＭＡ変調方式を採用した場合に、チップ数を多くとることを可能とし、さらにその結果として、拡散利得を向上させることができ、ＣＤＭＡ多重化においても多重数を増加させることができるようなマルチキャリア伝送システムを得ること、およびその変調方法を得ることを目的とする。
　【０００９】
　【課題を解決するための手段】
　上述した課題を解決し、目的を達成するために、本発明にかかるマルチキャリア伝送システムにあっては、ＯＦＤＭ／ＣＤＭＡ変調方式を採用し、さらに、
一つの
で折り返して
　【００１０】
　この発明によれば、拡散後の信号を、拡散信号並べ替え手段にて、たとえば、周波数軸上に２チップ周期分を配置し、さらに時間軸上に４チップ分を配置し、合計８チップの拡散信号群を生成する。これにより、従来のように、単純に８チップの拡散信号を周波数軸上に配置した場合と比較して、周波数選択性フェージングの影響を４分の１に抑圧することが可能となる。また、Ｓ／Ｎ比が改善されることから、拡散チップ数を従来より増加させることができるようになり、拡散利得を大きく取ることが可能となる。さらに、同時に、ＣＤＭＡ多重化における多重数も、従来より増加させることができる。
　【００１１】
　つぎの発明にかかるマルチキャリア伝送システムにおいて、前記拡散信号並べ替え手段は、前記２次元的に配置された一つの送信データ系列における拡散信号群を、時間軸上でシフトして配置することを特徴とする。
　【００１２】
　この発明によれば、拡散後の信号を、拡散信号並べ替え手段にて、たとえば、周波数軸上に２チップ周期分を配置し、時間軸上に４チップ分を配置し、合計８チップの拡散信号群を生成し、さらに、各拡散信号群を時間軸上で不規則に配置する。これにより、同一データが送信されるような場合でも、時間軸上のシフト効果により合成信号が変動し、送信スペクトルが一定にならず、それに伴ってスクランブル処理を施した場合と同様の効果が得られる。
　【００１３】
　つぎの発明にかかるマルチキャリア伝送システムにおいて、前記拡散信号並べ替え手段は、前記２次元的に配置された一つの送信データ系列における拡散信号群を、周波数軸上でシフトして配置することを特徴とする。
　【００１４】
　この発明によれば、拡散後の信号を、拡散信号並べ替え手段にて、たとえば、周波数軸上に２チップ周期分を配置し、時間軸上に４チップ分を配置し、合計８チップの拡散信号群を生成し、さらに、各拡散信号群を周波数軸上で不規則に配置する。これにより、周波数選択性フェージングの影響を受ける場合でも、その影響を分散させることが可能となる。
　【００１５】
　つぎの発明にかかるマルチキャリア伝送システムにおいて、前記拡散信号並べ替え手段は、前記２次元的に配置された一つの送信データ系列における拡散信号群を、部分系列に分解し、各部分系列をＯＦＤＭ信号内でインターリーブを行うことを特徴とする。
　【００１６】
　この発明によれば、拡散後の信号を、拡散信号並べ替え手段にて、たとえば、２チップ毎に一つのグループとして４グループに分解し、その各グループをＯＦＤＭ信号内でインターリーブを行うように配置する。これにより、周波数選択性フェージングの影響を軽減され、さらにインターリーブ効果が得られる。
　【００１７】
　つぎの発明にかかるマルチキャリア伝送システムにおいて、前記拡散信号並べ替え手段は、前記２次元的に配置した拡散信号の、周波数軸上および時間軸上における配置比率を、伝送路状態に応じて変更可能とすることを特徴とする。
　【００１８】
　この発明によれば、伝送路状態に応じたＯＦＤＭ／ＣＤＭＡ信号を選択的に送信する。さらに、伝送路状態に応じて、周波数軸上および時間軸上に割り当てる拡散チップの比率を可変とする。これにより、周波数選択性フェージング伝送路の影響を受ける伝送路や、時間変動の大きい伝送路等に、容易に適応することができる。
　【００１９】
　つぎの発明にかかるマルチキャリア変調方法にあっては、ＯＦＤＭ／ＣＤＭＡ変調方式を採用するマルチキャリア伝送システムにて適用され、さらに、
一つの
で折り返して
　【００２０】
　この発明によれば、拡散後の信号を、拡散信号並べ替えステップにて、たとえば、周波数軸上に２チップ周期分を配置し、さらに時間軸上に４チップ分を配置し、合計８チップの拡散信号群を生成する。これにより、従来のように、単純に８チップの拡散信号を周波数軸上に配置した場合と比較して、周波数選択性フェージングの影響を４分の１に抑圧することが可能となる。また、Ｓ／Ｎ比が改善されることから、拡散チップ数を従来より増加させることができるようになり、拡散利得を大きく取ることが可能となる。さらに、同時に、ＣＤＭＡ多重化における多重数も、従来より増加させることができる。
　【００２１】
　つぎの発明にかかるマルチキャリア変調方法において、前記拡散信号並べ替えステップでは、前記２次元的に配置された一つの送信データ系列における拡散信号群を、時間軸上でシフトして配置することを特徴とする。
　【００２２】
　この発明によれば、拡散後の信号を、拡散信号並べ替えステップにて、たとえば、周波数軸上に２チップ周期分を配置し、時間軸上に４チップ分を配置し、合計８チップの拡散信号群を生成し、さらに、各拡散信号群を時間軸上で不規則に配置する。これにより、同一データが送信されるような場合でも、時間軸上のシフト効果により合成信号が変動し、送信スペクトルが一定にならず、それに伴ってスクランブル処理を施した場合と同様の効果が得られる。
　【００２３】
　つぎの発明にかかるマルチキャリア変調方法において、前記拡散信号並べ替えステップでは、前記２次元的に配置された一つの送信データ系列における拡散信号群を、周波数軸上でシフトして配置することを特徴とする。
　【００２４】
　この発明によれば、拡散後の信号を、拡散信号並べ替えステップにて、たとえば、周波数軸上に２チップ周期分を配置し、時間軸上に４チップ分を配置し、合計８チップの拡散信号群を生成し、さらに、各拡散信号群を周波数軸上で不規則に配置する。これにより、周波数選択性フェージングの影響を受ける場合でも、その影響を分散させることが可能となる。
　【００２５】
　つぎの発明にかかるマルチキャリア変調方法において、前記拡散信号並べ替えステップでは、前記２次元的に配置された一つの送信データ系列における拡散信号群を、部分系列に分解し、各部分系列をＯＦＤＭ信号内でインターリーブを行うことを特徴とする。
　【００２６】
　この発明によれば、拡散後の信号を、拡散信号並べ替えステップにて、たとえば、２チップ毎に一つのグループとして４グループに分解し、その各グループをＯＦＤＭ信号内でインターリーブを行うように配置する。これにより、周波数選択性フェージングの影響を軽減され、さらにインターリーブ効果が得られる。
　【００２７】
　つぎの発明にかかるマルチキャリア変調方法において、前記拡散信号並べ替えステップでは、前記２次元的に配置した拡散信号の、周波数軸上および時間軸上における配置比率を、伝送路状態に応じて変更可能とすることを特徴とする。
　【００２８】
　この発明によれば、伝送路状態に応じたＯＦＤＭ／ＣＤＭＡ信号を選択的に送信し、さらに、伝送路状態に応じて、周波数軸上および時間軸上に割り当てる拡散チップの比率を可変とする。これにより、周波数選択性フェージング伝送路の影響を受ける伝送路や、時間変動の大きい伝送路等に、容易に適応することができる。
　【００２９】
　つぎの発明にかかる送信機にあっては、ＯＦＤＭ／ＣＤＭＡ変調方式を採用し、さらに、
一つの
で折り返して
　【００３０】
　つぎの発明にかかる受信機にあっては、ＯＦＤＭ／ＣＤＭＡ変調方式を採用し、さらに、
一つの
で折り返して
　【００３１】
　【発明の実施の形態】
　以下に、本発明にかかるマルチキャリア伝送システムおよび変調方法についての実施の形態を図面に基づいて詳細に説明する。なお、この実施の形態によりこの発明が限定されるものではない。
　【００３２】
実施の形態１．
　図１は、ＯＦＤＭ／ＣＤＭＡ変調方式を採用するマルチキャリア伝送システムの構成図である。なお、図１（ａ）は、送信機側の構成を示すものであり、（ｂ）は、受信機側の構成を示すものであり、本システムを構成する装置は、送信機および受信機の少なくとも一方の機能を備える。
　【００３３】
　図１（ａ）において、１は第１のデータ拡散部であり、２は第２のデータ拡散部であり、３は合成部であり、４はシリアル／パラレル（Ｓ／Ｐ）変換部であり、５はＩＦＦＴ（Ｉｎｖｅｒｓｅ　Ｆａｓｔ　Ｆｏｕｒｉｅｒ　ｔｒａｎｓｆｏｒｍ）であり、６はガードインターバル（ＧＩ）付加部であり、７はディジタル／アナログ（Ｄ／Ａ）変換部である。また、図１（ｂ）において、１０はアナログ／ディジタル（Ａ／Ｄ）変換部であり、１１はガードインターバル（ＧＩ）除去部であり、１２はＦＦＴ（Ｆａｓｔ　Ｆｏｕｒｉｅｒ　ｔｒａｎｓｆｏｒｍ）であり、１３はパラレル／シリアル（Ｐ／Ｓ）変換部であり、１４はデータ逆拡散部である。
　【００３４】
　以下、上記送信機および受信機の動作について説明する。送信機において、図中の送信データ系列Ｄ１ｍは、第１のデータ拡散部１にて既知の拡散符号Ｃ１ｎにより拡散され、一方、他ユーザーへの送信データ系列Ｄ２ｍは、第２のデータ拡散部２にて既知の拡散符号Ｃ２ｎにより拡散される。その後、両出力は、合成部３において合成される。なお、本実施の形態において、拡散符号Ｃ１ｎとＣ２ｎとは直交しているものとする。
　【００３５】
　合成部３の出力信号は、シリアル／パラレル変換部４にてシリアル信号からパラレル信号に変換され、変換後のパラレル信号は、ＩＦＦＴ（逆高速フーリエ変換）５による逆高速フーリエ変換処理で時間軸波形に変換される。そして、時間軸波形変換後の信号には、ＧＩ付加部６にてガードインターバルが付加され、ＯＦＤＭ信号となる。最後に、ディジタルのＯＦＤＭ信号がＤ／Ａ変換器７にてアナログ信号に変換され、受信機に対して送信される。以後、この送信信号のことを、ＯＦＤＭ／ＣＤＭＡ信号と呼ぶ。なお、ガードインターバル信号とは、建造物等に反射して生じる遅延信号の影響を吸収するための設定されるもので、ＯＦＤＭ変調信号においては、通常、使用されるものである。
　【００３６】
　つぎに、上記ＯＦＤＭ／ＣＤＭＡ信号を受け取った受信機では、その受信信号をＡ／Ｄ変換器１０にてディジタル信号に変換し、ＧＩ除去部１１にてガードインターバルを除去する。そして、ガードインターバル除去後の信号は、ＦＦＴ１２にて高速フーリエ変換処理され、時間軸波形を周波数軸波形に変換する。その後、ＦＦＴ１２からの出力信号は、Ｐ／Ｓ変換部１３にてシリアル信号に変換され、データ逆拡散部１４に送信される。
　【００３７】
　たとえば、着目するユーザーの拡散符号が上記Ｃ１ｎである場合、シリアル変換後の信号は、データ逆拡散部１４にて、ユーザー固有の拡散符号Ｃ１ｎと乗算され、送信データ系列Ｄ１ｍとして再生されることになる。これに対して、同時に受信される拡散符号Ｃ２ｍで拡散されたデータ系列Ｄ２ｍは、拡散符号Ｃ１ｎとＣ２ｎとの直交性により除去されることになる。また、建造物等に起因する遅延波の影響は、ＯＦＤＭ信号のガードインターバルにて除去されている。
　【００３８】
　上記、マルチキャリア伝送システムの動作において、通常、ＯＦＤＭ／ＣＤＭＡ信号は、たとえば、図６および図７に示すような形式で、周波数軸上の各サブキャリアに一つのデータを振り分けて送信する。しかしながら、このような方法では、周波数選択性フェージングの存在する伝送路をとおる場合、その影響を受けた周波数のサブキャリアにおけるデータに誤りが発生し、以後、このサブキャリアにおける同一データ部分に常に誤りが発生することになる。
　【００３９】
　そこで、本実施の形態のマルチキャリア変調方法においては、ＯＦＤＭ／ＣＤＭＡ信号の生成処理におけるデータの配置を変えることで、周波数選択性フェージングの影響を少なくする。図２は、本実施の形態のＯＦＤＭ／ＣＤＭＡ信号の形式を示す。これは、送信データ系列の拡散信号を周波数軸上および時間軸上に２次元的に配置したものであり、図中の太線部分が一つのデータ系列を示す。すなわち、図６に示す８個のサブキャリアと同一のデータを構成する。なお、図中の太線部分を、以後、周波数対群と呼ぶ。また、図中における拡散符号の記述されていない拡散チップには、周波数対群が規則的に配置されており、各拡散チップはＣ１ｎおよびＣ２ｎにて拡散された拡散信号が多重化（Ｃ１１／Ｃ２１，Ｃ１２／Ｃ２２，…）されている。
　【００４０】
　本実施の形態では、第１のデータ拡散部１および第２のデータ拡散部２にて拡散後の信号を、Ｓ／Ｐ変換部４にて、たとえば、周波数軸上に２チップ周期分を配置し、さらに時間軸上に４チップ分を配置し、合計８チップの拡散信号に適用した場合を示している。このような処理を行うことにより、従来のように、単純に８チップの拡散信号を周波数軸上に配置した場合と比較して、周波数選択性フェージングの影響を４分の１に抑圧することが可能となる。すなわち、サブキャリア数を８個とした場合、従来、８チップ（１データ系列）のうちの１チップが常に周波数選択性フェージングの影響を受ける場合でも、本実施の形態では、４データ系列に一つの割合でしか周波数選択性フェージングの影響を受けないことになる。
　【００４１】
　これにより、Ｓ／Ｎ（Ｓｉｇｎａｌ　ｔｏ　Ｎｏｉｓｅ　Ｒａｔｉｏ）比が改善されることから、拡散チップ数を従来より増加させることができるようになり、拡散利得を大きく取ることが可能となる。また、同時に、ＣＤＭＡ多重化における多重数も、従来より増加させることができる。
　【００４２】
実施の形態２．
　図３は、実施の形態２のＯＦＤＭ／ＣＤＭＡ信号の形式を示す。なお、マルチキャリア伝送システムの構成については、先に説明した図１の構成と同一のため、説明を省略する。ここでは、実施の形態１と異なる部分について説明する。
　【００４３】
　たとえば、実施の形態１では、拡散信号を周波数軸上および時間軸上に２次元的に配置した周波数対群を、規則的に配置した場合について説明した。しかしながら、ここでは、同一データが継続して送信されるような場合、合成信号が同一になり、その結果、送信波形および送信スペクトルが一定になってしまう、という問題が残る。
　【００４４】
　そこで、実施の形態２では、第１のデータ拡散部１および第２のデータ拡散部２にて拡散後の信号を、Ｓ／Ｐ変換部４にて、たとえば、周波数軸上に２チップ周期分を配置し、時間軸上に４チップ分を配置し、合計８チップの周波数対群を生成し、さらに、各周波数帯群の配置を時間軸上でシフトすることにより、ＯＦＤＭ／ＣＤＭＡ信号を生成する。
　【００４５】
　これにより、同一データが送信されるような場合でも、時間軸上のシフト効果により合成信号が変動し、送信スペクトルが一定にならず、それに伴ってスクランブル処理を施した場合と同様の効果が得られる。
　【００４６】
実施の形態３．
　図４は、実施の形態３のＯＦＤＭ／ＣＤＭＡ信号の形式を示す。なお、マルチキャリア伝送システムの構成については、先に説明した図１の構成と同一のため、説明を省略する。ここでは、実施の形態１および２と異なる部分について説明する。
　【００４７】
　たとえば、実施の形態１では、拡散信号を周波数軸上および時間軸上に２次元的に配置した周波数対群を、規則的に配置した場合について説明した。しかしながら、ここでは、周波数選択性フェージングの影響を受けた場合に、その影響が継続してしまう、すなわち、図１における拡散符号Ｃ１１にて拡散された信号の列が周波数選択性フェージングの影響を受けた場合に、つぎに影響を受ける信号も拡散符号Ｃ１１にて拡散された信号の列ということになり、データの誤りに偏りが発生してしまう、という問題が残る。
　【００４８】
　そこで、実施の形態３では、第１のデータ拡散部１および第２のデータ拡散部２にて拡散後の信号を、Ｓ／Ｐ変換部４にて、たとえば、周波数軸上に２チップ周期分を配置し、時間軸上に４チップ分を配置し、合計８チップの周波数対群を生成し、さらに、各周波数帯群の配置を周波数軸上でシフトすることにより、ＯＦＤＭ／ＣＤＭＡ信号を生成する。
　【００４９】
　これにより、周波数選択性フェージングの影響を受ける場合でも、その影響を分散させることが可能となる。
　【００５０】
実施の形態４．
　図５は、実施の形態４のＯＦＤＭ／ＣＤＭＡ信号の形式を示す。なお、マルチキャリア伝送システムの構成については、先に説明した図１の構成と同一のため、説明を省略する。ここでは、実施の形態１、２および３と異なる部分について説明する。
　【００５１】
　実施の形態４では、周波数選択性フェージングの影響を軽減し、さらにインターリーブ効果が得られるように周波数軸上および時間軸上に拡散チップを配置した例を示しており、たとえば、第１のデータ拡散部１および第２のデータ拡散部２にて拡散後の信号を、Ｓ／Ｐ変換部４にて、２チップ毎に一つのグループとして４グループに分解し、その各グループをＯＦＤＭ信号内でインターリーブを行うように配置している。
　【００５２】
　そして、受信機では、この各グループ毎に逆拡散処理（部分逆拡散処理）を行う。すなわち、部分相関処理を行っている。その後、受信機では、この部分相関処理が行われた信号を用いて、多数決判定、および最大比合成処理等を行い、最終的な復調データを得る。
　【００５３】
　以上、本実施の形態においては、周波数選択性フェージングによる拡散チップの振幅特性および位相特性のずれが、各グループ内でクローズされ、さらに得られる復調データが、拡散チップ数を長くする場合とかわらない。また、送信機の逆拡散処理において、インターリーブ効果が得られ、通信特性をより向上させることができる。
　【００５４】
実施の形態５．
　本実施の形態では、実施の形態１〜４におけるＳ／Ｐ変換部４の機能をすべて備え、その中から、伝送路状態に応じたＯＦＤＭ／ＣＤＭＡ信号を選択的に送信する。さらに、伝送路状態に応じて、周波数軸上および時間軸上に割り当てる拡散チップ比率を可変とすることにより、周波数選択性フェージング伝送路の影響を受ける伝送路や、時間変動の大きい伝送路等に、容易に適応する。
　【００５５】
　これにより、本実施の形態においては、先に説明したすべてのＯＦＤＭ／ＣＤＭＡ信号を実現でき、伝送路の状況に応じて、それらと同等の効果を得ることができる。
　【００５６】
　【発明の効果】
　以上、説明したとおり、本発明によれば、拡散後の信号を、拡散信号並べ替え手段にて、たとえば、周波数軸上に２チップ周期分を配置し、さらに時間軸上に４チップ分を配置し、合計８チップの拡散信号群を生成する。これにより、従来のように、単純に８チップの拡散信号を周波数軸上に配置した場合と比較して、周波数選択性フェージングの影響を抑圧することができる、という効果を奏する。また、Ｓ／Ｎ比が改善されることから、拡散チップ数を従来より増加させることができるようになり、拡散利得を大きく取ることができる、という効果を奏する。さらに、同時に、ＣＤＭＡ多重化における多重数も、従来より増加させることができる、という効果を奏する。
　【００５７】
　つぎの発明によれば、拡散後の信号を、拡散信号並べ替え手段にて、たとえば、周波数軸上に２チップ周期分を配置し、時間軸上に４チップ分を配置し、合計８チップの拡散信号群を生成し、さらに、各拡散信号群を時間軸上で不規則に配置する。これにより、同一データが送信されるような場合でも、時間軸上のシフト効果により合成信号が変動し、送信スペクトルが一定にならず、それに伴ってスクランブル処理を施した場合と同様の効果が得られる、という効果を奏する。
　【００５８】
　つぎの発明によれば、拡散後の信号を、拡散信号並べ替え手段にて、たとえば、周波数軸上に２チップ周期分を配置し、時間軸上に４チップ分を配置し、合計８チップの拡散信号群を生成し、さらに、各拡散信号群を周波数軸上で不規則に配置する。これにより、周波数選択性フェージングの影響を受ける場合でも、その影響を分散させることができる、という効果を奏する。
　【００５９】
　つぎの発明によれば、拡散後の信号を、拡散信号並べ替え手段にて、たとえば、２チップ毎に一つのグループとして４グループに分解し、その各グループをＯＦＤＭ信号内でインターリーブを行うように配置する。これにより、周波数選択性フェージングの影響を軽減され、さらにインターリーブ効果が得られる、という効果を奏する。
　【００６０】
　つぎの発明によれば、伝送路状態に応じたＯＦＤＭ／ＣＤＭＡ信号を選択的に送信する。さらに、伝送路状態に応じて、周波数軸上および時間軸上に割り当てる拡散チップの比率を可変とする。これにより、周波数選択性フェージング伝送路の影響を受ける伝送路や、時間変動の大きい伝送路等に、容易に適応することができる、という効果を奏する。
　【００６１】
　つぎの発明によれば、拡散後の信号を、拡散信号並べ替えステップにて、たとえば、周波数軸上に２チップ周期分を配置し、さらに時間軸上に４チップ分を配置し、合計８チップの拡散信号群を生成する。これにより、従来のように、単純に８チップの拡散信号を周波数軸上に配置した場合と比較して、周波数選択性フェージングの影響を抑圧することができる、という効果を奏する。また、Ｓ／Ｎ比が改善されることから、拡散チップ数を従来より増加させることができるようになり、拡散利得を大きく取ることができる、という効果を奏する。さらに、同時に、ＣＤＭＡ多重化における多重数も、従来より増加させることができる、という効果を奏する。
　【００６２】
　つぎの発明によれば、拡散後の信号を、拡散信号並べ替えステップにて、たとえば、周波数軸上に２チップ周期分を配置し、時間軸上に４チップ分を配置し、合計８チップの拡散信号群を生成し、さらに、各拡散信号群を時間軸上で不規則に配置する。これにより、同一データが送信されるような場合でも、時間軸上のシフト効果により合成信号が変動し、送信スペクトルが一定にならず、それに伴ってスクランブル処理を施した場合と同様の効果が得られる、という効果を奏する。
　【００６３】
　つぎの発明によれば、拡散後の信号を、拡散信号並べ替えステップにて、たとえば、周波数軸上に２チップ周期分を配置し、時間軸上に４チップ分を配置し、合計８チップの拡散信号群を生成し、さらに、各拡散信号群を周波数軸上で不規則に配置する。これにより、周波数選択性フェージングの影響を受ける場合でも、その影響を分散させることができる、という効果を奏する。
　【００６４】
　つぎの発明によれば、拡散後の信号を、拡散信号並べ替えステップにて、たとえば、２チップ毎に一つのグループとして４グループに分解し、その各グループをＯＦＤＭ信号内でインターリーブを行うように配置する。これにより、周波数選択性フェージングの影響を軽減され、さらにインターリーブ効果が得られる、という効果を奏する。
　【００６５】
　つぎの発明によれば、伝送路状態に応じたＯＦＤＭ／ＣＤＭＡ信号を選択的に送信し、さらに、伝送路状態に応じて、周波数軸上および時間軸上に割り当てる拡散チップの比率を可変とする。これにより、周波数選択性フェージング伝送路の影響を受ける伝送路や、時間変動の大きい伝送路等に、容易に適応することができる、という効果を奏する。
　【００６６】
　つぎの発明によれば、拡散後の信号を、拡散信号並べ替え手段にて、たとえば、周波数軸上に２チップ周期分を配置し、さらに時間軸上に４チップ分を配置し、合計８チップの拡散信号群を生成する。これにより、従来のように、単純に８チップの拡散信号を周波数軸上に配置した場合と比較して、周波数選択性フェージングの影響を抑圧することができる、という効果を奏する。
　【００６７】
　つぎの発明によれば、送信データ系列の拡散信号が周波数軸上および時間軸上に２次元的に配置され、時間軸単位で送信された送信信号を受信し、その受信信号を復調する。これにより、従来のように、単純に８チップの拡散信号を周波数軸上に配置した場合と比較して、周波数選択性フェージングの影響を抑圧することができる、という効果を奏する。
【図面の簡単な説明】
　【図１】　ＯＦＤＭ／ＣＤＭＡ変調方式を採用するマルチキャリア伝送システムの構成を示す図である。
　【図２】　実施の形態１にかかるＯＦＤＭ／ＣＤＭＡ信号の形式を示す図である。
　【図３】　実施の形態２にかかるＯＦＤＭ／ＣＤＭＡ信号の形式を示す図である。
　【図４】　実施の形態３にかかるＯＦＤＭ／ＣＤＭＡ信号の形式を示す図である。
　【図５】　実施の形態４にかかるＯＦＤＭ／ＣＤＭＡ信号の形式を示す図である。
　【図６】　ＯＦＤＭ／ＣＤＭＡ変調方式における送信信号の一例を示す図である。
　【図７】　周波数選択性フェージングの影響を受けた受信信号の一例を示す図である。
　【符号の説明】
　１　第１のデータ拡散部、２　第２のデータ拡散部、３　合成部、４　シリアル／パラレル変換部、５　ＩＦＦＴ、６　ガードインターバル付加部、７　ディジタル／アナログ変換部、１０　アナログ／ディジタル変換部、１１　ガードインターバル除去部、１２　ＦＦＴ、１３　パラレル／シリアル変換部、１４　データ逆拡散部。